【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
第１の照明方向の照明が照射された術部生体を撮影した第１の手術撮影画像と、第２の照明方向の照明光が照射された前記術部生体を撮影した第２の手術撮影画像とを合成し、鏡面反射光成分が抑制された合成画像を生成する信号処理部を備える
画像処理装置。
【請求項２】
前記照明光を照射する照明部を制御する照明制御部をさらに備える
請求項１に記載の画像処理装置。
【請求項３】
前記照明制御部は、前記照明光の照明方向を、前記第１の照明方向と前記第２の照明方向とに切り替えるように、前記照明部を制御する
請求項２に記載の画像処理装置。
【請求項４】
前記照明制御部は、前記第１の照明方向の照明光、及び、前記第２の照明方向の照明光それぞれをオン又はオフするように、前記照明部を制御する
請求項２に記載の画像処理装置。
【請求項５】
前記照明光は、前記術部生体を撮影する内視鏡から照射される
請求項１ないし４のいずれかに記載の画像処理装置。
【請求項６】
前記照明光は、前記術部生体を撮影する内視鏡とは別の外部器具から照射される
請求項１ないし５のいずれかに記載の画像処理装置。
【請求項７】
前記第１の手術撮影画像は、前記第１の撮影画像に映る前記術部生体の中心部分に向かう前記第１の照明方向の照明光が照射された画像であり、
前記第２の手術撮影画像は、前記第２の撮影画像に映る前記術部生体の周辺部分に向かう前記第２の照明方向の照射光が照射された画像である
請求項１ないし６のいずれかに記載の画像処理装置。
【請求項８】
前記第１の手術撮影画像は、奇数フレーム及び偶数フレームのうちの一方のフレームの画像であり、
前記第２の手術撮影画像は、前記奇数フレーム及び前記偶数フレームのうちの他方のフレームの画像である
請求項１ないし７のいずれかに記載の画像処理装置。
【請求項９】
前記信号処理部は、
第１のフレームの前記第１の手術撮影画像と、前記第１のフレームの次の第２のフレームの前記第２の手術撮影画像とを合成し、
前記第２のフレームの次の第３のフレームの前記第１の手術撮影画像と、前記第３のフレームの次の第４のフレームの前記第２の手術撮影画像とを合成する
ことを繰り返す
請求項８に記載の画像処理装置。
【請求項１０】
前記信号処理部は、
第１のフレームの前記第１の手術撮影画像と、前記第１のフレームの次の第２のフレームの前記第２の手術撮影画像とを合成し、
前記第２のフレームの前記第２の手術撮影画像と、前記第２のフレームの次の第３のフレームの前記第１の手術撮影画像とを合成する
ことを繰り返す
請求項８に記載の画像処理装置。
【請求項１１】
前記信号処理部は、
前記第１の手術撮影画像の注目位置の画素の露出量が、前記第２の手術撮影画像の前記注目位置の画素の露出量より大である場合、
前記第１の手術撮影画像の前記注目位置の画素の画素値が、閾値より小であるときには、前記第１の手術撮影画像の前記注目位置の画素の画素値を、前記合成画像の前記注目位置の画素の画素値として求め、
前記第１の手術撮影画像の前記注目位置の画素の画素値が、閾値より小でないときには、前記第２の手術撮影画像の前記注目位置の画素の画素値を、前記合成画像の前記注目位置の画素の画素値として求め、
前記第１の手術撮影画像の注目位置の画素の露出量が、前記第２の手術撮影画像の前記注目位置の画素の露出量より大でない場合、
前記第２の手術撮影画像の前記注目位置の画素の画素値が、閾値より小であるときには、前記第２の手術撮影画像の前記注目位置の画素の画素値を、前記合成画像の前記注目位置の画素の画素値として求め、
前記第２の手術撮影画像の前記注目位置の画素の画素値が、閾値より小でないときには、前記第１の手術撮影画像の前記注目位置の画素の画素値を、前記合成画像の前記注目位置の画素の画素値として求める
請求項１ないし１０のいずれかに記載の画像処理装置。
【請求項１２】
前記信号処理部は、前記第１の手術撮影画像の注目位置の画素の画素値と、前記第２の手術撮影画像の前記注目位置の画素の画素値との重み付け加算値を、前記合成画像の前記注目位置の画素の画素値として求める
請求項１に記載の画像処理装置。
【請求項１３】
前記信号処理部は、前記重み付け加算値を求めるのに用いる重みを、前記第１の手術撮影画像又は前記第２の手術撮影画像の前記注目位置の画素の画素値に基づいて設定する
請求項１２に記載の画像処理装置。
【請求項１４】
前記信号処理部は、
前記第１の手術撮影画像の前記注目位置の画素の露出量が、前記第２の手術撮影画像の前記注目位置の画素の露出量より大である場合、前記重みを、前記第１の手術撮影画像の前記注目位置の画素の画素値に応じて設定し、
前記第１の手術撮影画像の前記注目位置の画素の露出量が、前記第２の手術撮影画像の前記注目位置の画素の露出量より大でない場合、前記重みを、前記第２の手術撮影画像の前記注目位置の画素の画素値に応じて設定し、
前記合成画像を含む映像信号のフレームレートは、前記第１の手術撮影画像および前記第２の手術撮影画像を撮影する手術用撮像装置の撮像フレームレートより、低いものである
請求項１３に記載の画像処理装置。
【請求項１５】
前記信号処理部は、
前記第１の撮影画像の前記注目位置の画素の画素値ＶＣ、前記第２の手術撮影画像の前記注目位置の画素の画素値Ｖ０、及び、重みａを用い、前記合成画像の前記注目位置の画素の画素値ＣをＣ＝ａ・ＶＣ＋（１−ａ）・Ｖ０に従って求め、
前記第１の撮影画像の前記注目位置の画素の露出量が、前記第２の撮影画像の前記注目位置の画素の露出量より大である場合、前記第１の撮影画像の前記注目位置の画素の画素値ＶＣの増加に対して減少する重みａを設定し、
前記第１の撮影画像の前記注目位置の画素の露出量が、前記第２の撮影画像の前記注目位置の画素の露出量より大でない場合、前記第２の撮影画像の前記注目位置の画素の画素値Ｖ０の増加に対して増加する重みａを設定し、
前記合成画像を含む映像信号のフレームレートは、前記第１の手術画像および前記第２の手術画像を撮像する手術用撮像装置の撮像フレームレートと同じである
請求項１４に記載の画像処理装置。
【請求項１６】
前記信号処理部は、
前記第１の手術撮影画像の各画素の画素値に、その画素の露出量に応じたゲインをかけるとともに、前記第２の手術撮影画像の各画素の画素値に、その画素の露出量に応じたゲインをかけ、
前記ゲインをかけた後の前記第１の手術撮影画像と前記第２の手術撮影画像とを合成する
請求項１ないし１５のいずれかに記載の画像処理装置。
【請求項１７】
前記信号処理部は、前記ゲインをかけた後の前記第１の手術撮影画像と前記第２の手術撮影画像とを合成することにより生成される前記合成画像の階調を圧縮する
請求項１６に記載の画像処理装置。
【請求項１８】
第１の照明方向の照明光が照射された術部生体を撮影した第１の手術撮影画像と、第２の照明方向の照明光が照射された前記術部生体を撮影した第２の手術撮影画像とを合成し、鏡面反射光成分が抑制された合成画像を生成する
ステップを含む画像処理方法。
【請求項１９】
第１の照明方向の照明光が照射された術部生体を撮影した第１の手術撮影画像と、第２の照明方向の照明光が照射された前記術部生体を撮影した第２の手術撮影画像とを合成し、鏡面反射光成分が抑制された合成画像を生成する信号処理部
として、コンピュータを機能させるためのプログラム。
【請求項２０】
術部生体を撮影する手術用撮像装置内視鏡と、
第１の照明方向の照明光が照射された術部生体を前記手術用撮像装置内視鏡で撮影した第１の手術撮影画像と、第２の照明方向の照明光が照射された前記術部生体を前記手術用撮像装置内視鏡で撮影した第２の手術撮影画像とを合成し、鏡面反射光成分が抑制された合成画像を生成する信号処理部と、
前記合成画像を表示する表示部と
を備える内視鏡システム。
【手続補正２】
【補正対象書類名】明細書
【補正対象項目名】０００７
【補正方法】変更
【補正の内容】
【０００７】
本技術の画像処理装置、又は、プログラムは、第１の照明方向の照明光が照射された術部生体を撮影した第１の手術撮影画像と、第２の照明方向の照明光が照射された前記術部生体を撮影した第２の手術撮影画像とを合成し、鏡面反射光成分が抑制された合成画像を生成する信号処理部を備える画像処理装置、又は、そのような画像処理装置として、コンピュータを機能させるためのプログラムである。
【手続補正３】
【補正対象書類名】明細書
【補正対象項目名】０００８
【補正方法】変更
【補正の内容】
【０００８】
本技術の画像処理方法は、第１の照明方向の照明光が照射された術部生体を撮影した第１の手術撮影画像と、第２の照明方向の照明光が照射された前記術部生体を撮影した第２の撮影画像とを合成し、鏡面反射光成分が抑制された合成画像を生成するステップを含む画像処理方法である。
【手続補正４】
【補正対象書類名】明細書
【補正対象項目名】０００９
【補正方法】変更
【補正の内容】
【０００９】
本技術の内視鏡システムは、術部生体を撮影する内視鏡と、第１の照明方向の照明光が照射された術部生体を前記内視鏡で撮影した第１の手術撮影画像と、第２の照明方向の照明光が照射された前記術部生体を前記内視鏡で撮影した第２の手術撮影画像とを合成し、鏡面反射光成分が抑制された合成画像を生成する信号処理部と、前記合成画像を表示する表示部とを備える内視鏡システムである。
【手続補正５】
【補正対象書類名】明細書
【補正対象項目名】００１０
【補正方法】変更
【補正の内容】
【００１０】
本技術においては、第１の照明方向の照明光が照射された術部生体を撮影した第１の手術撮影画像と、第２の照明方向の照射光が照射された前記術部生体を撮影した第２の手術撮影画像とが合成され、鏡面反射光成分が抑制された合成画像が生成される。
【手続補正６】
【補正対象書類名】明細書
【補正対象項目名】０１２５
【補正方法】変更
【補正の内容】
【０１２５】
また、周辺照射画像の注目位置の画素の画素値Ｖ０が、閾値THより小でないときには、周辺照射画像の注目位置の画素の画素値Ｖ０が、鏡面反射光成分が含む可能性があると推定され、中心照射画像の注目位置の画素の画素値ＶＣが、合成画像の注目位置の画素の画素値Ｃとなる。
【手続補正７】
【補正対象書類名】明細書
【補正対象項目名】０２２７
【補正方法】削除
【補正の内容】
【手続補正８】
【補正対象書類名】明細書
【補正対象項目名】０２２８
【補正方法】削除
【補正の内容】